(57)【特許請求の範囲】
【請求項１】
ＳＩＰ（Session Initiation Protocol）に従った呼制御を実行可能な送信装置であって、
暗号通信を実行するための第１宛先情報及び平文通信を実行するための第２宛先情報のいずれかを指定する指定手段と、
前記指定手段により指定された宛先情報を含むＩＮＶＩＴＥコマンドを受信装置に対して送信する送信手段と、
前記送信手段が送信したＩＮＶＩＴＥコマンドに対する応答として前記受信装置から通知されるポート番号を受信する受信手段と、
前記指定手段により前記第１宛先情報が指定された場合は、前記受信手段が受信したポート番号に接続して暗号通信を実行し、前記指定手段により前記第２宛先情報が指定された場合は、前記受信手段が受信したポート番号に接続して平文通信を実行する通信制御手段と、
を備えることを特徴とする送信装置。
【請求項２】
原稿上の画像を読み取って、当該画像に基づく画像データを生成する読取手段を更に備え、
前記通信制御手段は、前記読取手段により生成された画像データを暗号通信または平文通信を用いて前記受信装置に対して送信することを特徴とする請求項１に記載の送信装置。
【請求項３】
前記第１宛先情報及び前記第２宛先情報は、ＩＮＶＩＴＥコマンドのＴｏヘッダに記述されることを特徴とする請求項１または２に記載の送信装置。
【請求項４】
ＳＩＰ（Session Initiation Protocol）に従った呼制御を実行可能な受信装置であって、
暗号通信を実行するための第１宛先情報及び平文通信を実行するための第２宛先情報のいずれかを含むＩＮＶＩＴＥコマンドを送信装置から受信する受信手段と、
前記受信手段が受信したＩＮＶＩＴＥコマンドに含まれる宛先情報が、前記第１宛先情報及び前記第２宛先情報のいずれであるかを判別する判別手段と、
前記判別手段により判別された宛先情報が前記第１宛先情報である場合は、暗号通信のための第１ポート番号を前記送信装置に通知し、前記判別手段により判別された宛先情報が前記第２宛先情報である場合は、平文通信のための第２ポート番号を前記送信装置に通知する通知手段と、
を備えることを特徴とする受信装置。
【請求項５】
前記通知手段がポート番号を通知した後、当該通知したポート番号に対する前記送信装置からの接続を受けて暗号通信または平文通信を実行する通信制御手段を更に備えることを特徴とする請求項４に記載の受信装置。
【請求項６】
暗号通信を実行するための宛先情報及び平文通信を実行するための宛先情報を設定するための設定画面を表示する表示手段を更に備え、
前記第１宛先情報及び前記第２宛先情報は、前記表示手段に表示される前記設定画面を介してユーザが入力可能であることを特徴とする請求項４または５に記載の受信装置。
【請求項７】
前記第１宛先情報及び前記第２宛先情報は、ＩＮＶＩＴＥコマンドのＴｏヘッダに記述されることを特徴とする請求項４から６のいずれか１項に記載の受信装置。
【請求項８】
ＳＩＰ（Session Initiation Protocol）に従った呼制御を実行可能な送信装置の制御方法であって、
暗号通信を実行するための第１宛先情報及び平文通信を実行するための第２宛先情報のいずれかを指定する指定工程と、
前記指定工程で指定された宛先情報を含むＩＮＶＩＴＥコマンドを受信装置に対して送信する送信工程と、
前記送信工程で送信したＩＮＶＩＴＥコマンドに対する応答として前記受信装置から通知されるポート番号を受信する受信工程と、
前記指定工程で前記第１宛先情報が指定された場合は、前記受信工程で受信したポート番号に接続して暗号通信を実行し、前記指定工程で前記第２宛先情報が指定された場合は、前記受信工程で受信したポート番号に接続して平文通信を実行する通信制御工程と、
を備えることを特徴とする送信装置の制御方法。
【請求項９】
ＳＩＰ（Session Initiation Protocol）に従った呼制御を実行可能な受信装置の制御方法であって、
暗号通信を実行するための第１宛先情報及び平文通信を実行するための第２宛先情報のいずれかを含むＩＮＶＩＴＥコマンドを送信装置から受信する受信工程と、
前記受信工程で受信したＩＮＶＩＴＥコマンドに含まれる宛先情報が、前記第１宛先情報及び前記第２宛先情報のいずれであるかを判別する判別工程と、
前記判別工程で判別された宛先情報が前記第１宛先情報である場合は、暗号通信のための第１ポート番号を前記送信装置に通知し、前記判別工程で判別された宛先情報が前記第２宛先情報である場合は、平文通信のための第２ポート番号を前記送信装置に通知する通知工程と、
を備えることを特徴とする受信装置の制御方法。
【発明の詳細な説明】
【技術分野】
【０００１】
本発明は、ＳＩＰ（Session Initiation Protocol）に従った呼制御を実行可能な送信装置、受信装置、送信装置の制御方法および受信装置の制御方法に関する。
【背景技術】
【０００２】
近年、多くの通信がＩＰ（Internet Protocol）という共通の基盤を利用したもの、すなわちインターネット、イントラネットなどのＩＰネットワークを介して、ＩＰ（Internet Protocol）を用いた通信へ移行しつつある。
【０００３】
また、ＩＰを用いた通信においては、ＩＰネットワーク上に送出されたデータ（ＩＰパケット）は、常に、盗聴、改ざんなどの脅威にさらされている。これらの脅威からデータを保護するためのセキュリティ手段として、ＩＰパケットの暗号化と認証を行うＩＰｓｅｃ（Internet Protocol Security）を用いた暗号化手段が導入されつつある（詳細はＲＦＣ参照）。
【０００４】
このＩＰｓｅｃには、鍵交換、認証、暗号化の各機能が組み込まれる。鍵交換機能は、認証または暗号化の際に必要になる鍵の情報を安全に交換する機能である。認証機能は、ＩＰパケットにＡＨ（Authentication Header）と呼ばれるヘッダを追加して、送信元に関する認証を行い、悪意の第三者が正規のユーザになりすまして正しくないパケットを送り込むことを防止するための機能である。暗号化機能は、ＩＰパケットにＥＳＰ（Encapsulating Security Payload）と呼ばれるヘッダを追加して、当該ヘッダを含むパケット全体、またはペイロードのみの暗号化を行う機能である。パケット全体の暗号化は、「トンネリングモード」と呼ばれ、ペイロードのみの暗号化は、「トランスモード」と呼ばれる。
【０００５】
ＩＰ（Internet Protocol）を用いた通信は、高速通信を可能しまた通信料金を安価にするという利点から、ファクシミリ通信に適用され、ＩＰを用いたファクシミリ通信（以下、ＩＰ−ＦＡＸ通信という）がＩＴＵ−Ｔ勧告Ｔ．３８に規定されている。このＩＰ−ＦＡＸ通信は、Ｇ３ＦＡＸ通信と同様に、通信相手と接続された状態で直接データを送信する（リアルタイム型）ものである。このＩＰ−ＦＡＸ通信においても、上述したと同様に、データ（ＩＦＰパケット）の盗聴、漏洩、改ざんなどの脅威にさらされている。
【０００６】
そこで、通信ネットワーク（インターネット）上のみにおいて暗号通信を行うファクシミリ装置が提案されている（例えば特許文献１参照）。このファクシミリ装置の場合、まず、送信側装置と受信側装置との間で暗号通信を行うか平文通信を行うかの交渉が行われる。交渉の結果、暗号通信を行うことが決定された場合、送信側装置が、所定の暗号系により、送信するデータを暗号化する。そして、暗号化されたデータは、ＩＴＵ−Ｔ勧告Ｔ．３８に従い、通信ネットワークを介して受信側装置に送信される。
【０００７】
これに対し、交渉の結果、平文通信を行うことが決定された場合、送信側装置は、データを暗号化することなく、通信ネットワークを介して受信側装置に送信する。
【特許文献１】特開２００２−２３２７２２号公報
【発明の開示】
【発明が解決しようとする課題】
【０００８】
送信すべきデータが例えば高い機密性を有するデータである場合、送信側のユーザは暗号通信を望むが、受信側装置が暗号通信をサポートしていない場合、送信側装置と受信側装置との間での交渉の結果により平文通信を行うことが決定される。このような場合、暗号通信を望むユーザの意図に反して、高い機密性を有するデータは、平文通信により、暗号化されることなく送信されることになる。従って、暗号通信と平文通信とを確実に使い分けることが可能なファクシミリ装置が望まれている。
【０００９】
本発明の目的は、ユーザの意図に応じて暗号通信と平文通信とを確実に使い分けることができる送信装置、受信装置、送信装置の制御方法および受信装置の制御方法を提供することにある。
【課題を解決するための手段】
【００１０】
本発明は、上記目的を達成するため、ＳＩＰ（Session Initiation Protocol）に従った呼制御を実行可能な送信装置であって、暗号通信を実行するための第１宛先情報及び平文通信を実行するための第２宛先情報のいずれかを指定する指定手段と、前記指定手段により指定された宛先情報を含むＩＮＶＩＴＥコマンドを受信装置に対して送信する送信手段と、前記送信手段が送信したＩＮＶＩＴＥコマンドに対する応答として前記受信装置から通知されるポート番号を受信する受信手段と、前記指定手段により前記第１宛先情報が指定された場合は、前記受信手段が受信したポート番号に接続して暗号通信を実行し、前記指定手段により前記第２宛先情報が指定された場合は、前記受信手段が受信したポート番号に接続して平文通信を実行する通信制御手段と、を備えることを特徴とする送信装置を提供する。
【００１１】
本発明は、上記目的を達成するため、ＳＩＰ（Session Initiation Protocol）に従った呼制御を実行可能な受信装置であって、暗号通信を実行するための第１宛先情報及び平文通信を実行するための第２宛先情報のいずれかを含むＩＮＶＩＴＥコマンドを送信装置から受信する受信手段と、前記受信手段が受信したＩＮＶＩＴＥコマンドに含まれる宛先情報が、前記第１宛先情報及び前記第２宛先情報のいずれであるかを判別する判別手段と、前記判別手段により判別された宛先情報が前記第１宛先情報である場合は、暗号通信のための第１ポート番号を前記送信装置に通知し、前記判別手段により判別された宛先情報が前記第２宛先情報である場合は、平文通信のための第２ポート番号を前記送信装置に通知する通知手段と、を備えることを特徴とする受信装置を提供する。
【００１２】
本発明は、上記目的を達成するため、送信装置の制御方法および受信装置の制御方法を提供する。
【発明の効果】
【００１６】
本発明によれば、ユーザの意図に応じて暗号通信と平文通信とを確実に使い分けることができる。
【発明を実施するための最良の形態】
【００１７】
以下、本発明の実施の形態について図面を参照しながら説明する。
【００１８】
図１は本発明の一実施の形態に係るファクシミリ通信システムを模式的に示す図である。
【００１９】
ファクシミリ通信システムは、図１に示すように、インターネットまたはイントラネットなどのＩＰネットワーク１０３を備える。ＩＰネットワーク１０３には、ＩＰｓｅｃを用いたＩＰ−ＦＡＸ通信（以下、暗号通信という）とＩＰｓｅｃを用いないＩＰ−ＦＡＸ通信（以下、平文通信という）を選択的に行うことが可能な複数のデジタル複合機１０１，１０２が接続されている。
【００２０】
暗号通信（ＩＰｓｅｃを用いたＩＰ−ＦＡＸ通信）とは、ＩＰｓｅｃの鍵交換、認証、暗号化の各機能を用いて発信者の認証を行うとともに、原稿から読み取られた画像のＩＦＰパケットをＩＰｓｅｃにより暗号化して送受信するファクシミリ通信である。ここで、例えばデジタル複合機１０１を送信側とし、デジタル複合機１０２を受信側として、暗号通信を行う場合を想定する。
【００２１】
この場合、デジタル複合機１０１（送信側）は、ファシミリ信号（手順信号または符号化された画データ）を生成する。このファクシミリ信号は、ＩＦＰ（Internet Facsimile Protocol）パケットに変換される。この際、ＩＦＰパケットは、ＩＰｓｅｃに従って暗号化される。そして、暗号化されたＩＦＰパケットは、デジタル複合機１０１からＩＰネットワーク１０３上に送出される。
【００２２】
デジタル複合機１０２（受信側）は、暗号化されたＩＦＰパケットを受信すると、当該暗号化されたＩＦＰパケットを平文のＩＦＰパケットに戻す。そして、平文のＩＦＰパケットは、元のファクシミリ信号すなわち符号化された画像データに変換される。そして、符号化された画像データは、復号され、印刷される。
【００２３】
このように、暗号通信の場合、暗号化されたＩＦＰパケットがＩＰネットワーク１０３上を伝送される。よって、暗号通信は、ＩＰネットワーク１０３上を伝送されるＩＦＰパケット（ファクシミリ信号）を、盗聴、改ざんなどの脅威から保護することが可能である。
【００２４】
次に、デジタル複合機１０１，１０２に構成について図２を参照しながら説明する。図２は図１のデジタル複合機１０１，１０２の構成を示すブロック図である。
【００２５】
デジタル複合機１０１，１０２は、図２に示すように、スキャナ部２０１、プリンタ部２０２、操作／表示部２０３、符号化／復号部２０４、およびネットワーク制御部２０５を備える。また、デジタル複合機１０１，１０２は、システムメモリ２０６、ページメモリ２０７、システム制御部２０８およびハードディスク（以下、ＨＤという）２１０を備える。これらのブロック２０１〜２１０は、システムバス２１１に接続される。
【００２６】
スキャナ部２０１は、指定された読取モード（例えば紙サイズ、解像度、濃度などの指定を含む）で原稿を読み取る。プリンタ部２０２は、用紙上に画像を印刷し、当該用紙を、フィニッシャーなどの排紙装置（図示せず）を介して、排紙トレイ上に出力する。操作／表示部２０３は、ユーザが各種設定のための入力操作を行うための操作パネルと、設定されたモードおよびその内容、装置の動作状態などを表示する表示パネルを含む。
【００２７】
符号化／復号部２０４は、ファクシミリ通信時には、スキャナ部２０１により読み取られた画像データを符号化し、また、受信したファクシミリ信号（符号化された画像データ）を復号し、元の画像データに復元する。
【００２８】
ネットワーク制御部２０５は、ＩＰネットワーク１０３を接続し、ＩＰネットワーク１０３上の他の機器との間でファクシミリ通信を行う。本実施の形態においては、ファクシミリ通信として、上述した平文通信（ＩＰｓｅｃを用いないＩＰ−ＦＡＸ通信）と、暗号通信（ＩＰｓｅｃを用いたＩＰ−ＦＡＸ通信）とが選択的に実施される。ここで、ネットワーク制御部２０５は、平文通信用ポート（図示せず）と暗号通信用ポート（図示せず）を有し、それぞれのポートには、異なる宛先情報が割り当てられている。ここで、上記平文通信用ポートは、平文のＩＦＰパケット（暗号化されてないＩＦＰパケット）を受信するためのポートであって、当該ポートに暗号化されているＩＦＰパケットが入力された際には、当該ＩＦＰは無視される。上記暗号通信用ポートは、暗号化されているＩＦＰパケットを受信するためのポートであって、当該ポートに平文のＩＦＰパケットが入力された際には、当該ＩＦＰパケットは無視される。
【００２９】
平文通信時には、通信相手（受信側）の宛先情報が入力される。ネットワーク制御部２０５は、呼設定により、入力された宛先情報に対して発呼を行い、これに応答して通信相手から通知される平文通信用ポートと接続し、画像伝送を行う。そして、画像伝送が終了すると、ネットワーク制御部２０５は、呼切断を行う。ここで、通信中において、各手順信号、画信号を含むファクシミリ信号は、ＩＦＰパケットに変換され、当該ＩＦＰパケットは、ＩＰネットワーク１０３に送出される。
【００３０】
また、ネットワーク制御部２０５は、平文通信により通信相手（送信側）から送信されたＩＦＰパケットを受信すると、当該受信したＩＦＰパケットを元のファクシミリ信号に戻す。
【００３１】
暗号通信時には、通信相手（受信側）の宛先情報が入力される。ネットワーク制御部２０５は、呼設定により、入力された宛先情報に対して発呼を行い、これに応答して通信相手から返される暗号通信用ポートと接続し、画像伝送を行う。そして、画像伝送が終了すると、ネットワーク制御部２０５は、呼切断を行う。ここで、通信中においては、各手順信号、画信号を含むファクシミリ信号は、ＩＦＰパケットに変換され、当該ＩＦＰパケットは暗号化されて、ＩＰネットワーク１０３に送出される。
【００３２】
また、ネットワーク制御部２０５は、暗号化されたＩＦＰパケットを受信すると、当該暗号化されたＩＦＰパケットを平文のＩＦＰパケットへ戻し、さらに当該元のＩＦＰパケットを元のファクシミリ信号に戻す。
【００３３】
このように、暗号通信は、平文通信に対して、暗号化されたＩＦＰパケットを送受信する点で異なる。また、暗号通信時には、暗号通信用ポートが、平文通信時には平文通信用ポートがそれぞれ用いられる点で異なる。なお、暗号通信と平文通信は、呼設定、画像伝送、呼切断などに関する手順に関しては、同じである。
【００３４】
システムメモリ２０６は、装置を制御するためのプログラムおよび当該制御に必要なデータが格納されているＲＯＭ、および制御の実行時に作業領域を提供するためのＲＡＭを含む。ページメモリ２０７は、符号化または復号を行う際に、１ページ分の画像データを展開するものである。システム制御部２０８は、システムメモリ２０６に格納されているプログラムに従い、システムバス２１１を介して、各ブロック２０１〜２０７，２１０の動作を制御するＣＰＵ（図示せず）を有する。
【００３５】
ＨＤ２１０には、スキャナ部２０１により読み取られた画像データ、符号化された画像データ、復号された画像データなどが蓄積される。また、ＨＤ２１０には、親展文書などの特定の受信文書を格納するための受信ボックスを、送信側から指定されたＦコードまたはパスワード（ＰＷＤ）に対応付けて設けることが可能である。例えば、送信側からＦコードまたはパスワード（ＰＷＤ）が指定された画像データを受信すると、当該受信した画像データは、Ｆコードまたはパスワード（ＰＷＤ）に対応する受信ボックスに格納されることになる。
【００３６】
次に、デジタル複合機１０２を受信側とし、当該デジタル複合機１０２において当該デジタル複合機１０２のアドレス（宛先）を設定するためのアドレス設定画面について図３を参照しながら説明する。図３は図１のデジタル複合機１０２（受信側）に表示されるアドレス設定画面の一例を示す図である。
【００３７】
ネットワーク制御部２０５に設けられている暗号通信用ポートと平文通信用ポートに対して割り当てられるアドレスは、操作／表示部２０３に表示されるアドレス設定画面を用いて変更可能である。このアドレス設定画面においては、例えば図３に示すように、暗号通信用ポートに割り当てる暗号通信用アドレス３０１と、平文通信用ポートに割り当てる平文通信用アドレス３０２を入力し、設定することが可能である。これらのアドレスの入力および設定は、操作／表示部２０３を用いてユーザにより行われ、また、これらのアドレスは、必要に応じてユーザにより変更される。設定または変更された暗号通信用アドレス３０１および平文通信用アドレス３０２は、システムメモリ２０６のＲＡＭに格納される。
【００３８】
ファクシミリ通信時、送信側においては、その操作／表示部２０３を介して、ユーザにより、受信側のアドレスが入力されるとともに、暗号通信および平文通信のうちのいずれが指定される。そして、入力された受信側のアドレスが記述されたＴＯヘッダを含むＩＮＶＩＴＥコマンドが送信側から受信側へ送信される。
【００３９】
上記ＩＮＶＩＴＥコマンドを受けた受信側は、ＩＮＶＩＴＥコマンドのＴＯヘッダに記述されているアドレスを判別する。ここで、ＴＯヘッダに記述されているアドレスが受信側において設定された暗号通信用アドレスであれば、受信側は、暗号通信用ポートのポート番号を送信側へ通知する。これに対し、ＴＯヘッダに記述されているアドレスが受信側において設定された平文通信用アドレスであれば、平文通信用ポートのポート番号が送信側へ通知される。
【００４０】
次に、デジタル複合機１０１を送信側とし、デジタル複合機１０２を受信側として、両者の間でファクシミリ通信を行う場合の動作について図４を参照しながら説明する。図４は図１のデジタル複合機１０１とデジタル複合機１０２の間でファクシミリ通信を行う場合の動作を示すフローチャートである。ここで、図４のフローチャートで示す手順は、デジタル複合機１０１，１０２のそれぞれのネットワーク制御部２０５により実行されるものである。
【００４１】
デジタル複合機１０１（送信側）において、ユーザにより宛先のアドレスが入力され、暗号通信または平文通信が指定される。そして、ファクシミリ送信が指示される。
【００４２】
デジタル複合機１０１においては、図４に示すように、まず、入力されたアドレスの宛先と接続するために、ネットワーク制御部２０５により、ＳＩＰ（Session Initiation Protocol）による呼接続が開始される（ステップＳ４０１）。この呼接続が開始されると、ネットワーク制御部２０５から、ＩＮＶＩＴＥコマンドが宛先に送信される。ＩＮＶＩＴＥコマンドのＳＩＰヘッダ部には、ＳＩＰ  ＵＲＬ情報、ＴＯヘッダ、ＦＲＯＭヘッダなどが含まれる。
【００４３】
デジタル複合機１０２においては、ネットワーク制御部２０５により、デジタル複合機１０１から送信されたＩＮＶＩＴＥコマンドを受け取ると、そのＳＩＰヘッダ部分が解析される（ステップＳ４０２）。ここでは、このＳＩＰヘッダ部のＴＯヘッダに記述されているアドレスが抽出される。そして、ネットワーク制御部２０５は、上記抽出されたアドレスがデジタル複合機１０２において設定されている暗号通信用アドレス、平文通信用アドレスのいずれであるかの判別を行う（ステップＳ４０３）。ここで、上記抽出されたアドレスが上記暗号通信用アドレスである場合、ネットワーク制御部２０５は、暗号通信用ポートのポート番号を含むＩＮＶＩＴＥの応答を、デジタル複合機１０１へ返す（ステップＳ４０４）。これに対し、上記抽出されたアドレスが上記平文通信用アドレスである場合、ネットワーク制御部２０５は、平文通信用ポートのポート番号を含むＩＮＶＩＴＥの応答を、デジタル複合機１０１へ返す（ステップＳ４０５）。
【００４４】
デジタル複合機１０１のネットワーク制御部２０５は、デジタル複合機１０２からの上記応答を受信すると、当該応答に含まれるポート番号の通信用ポートと接続し、画像データのＩＦＰパケットを送信する（ステップＳ４０６）。
【００４５】
ここで、上記ポート番号が暗号通信用ポートのポート番号であり、かつ暗号通信が指定されている場合、ネットワーク制御部２０５は、デジタル複合機１０２の暗号通信用ポートと接続し、暗号通信を行う。すなわち、ＩＰｓｅｃによりＩＦＰパケットが暗号化され、当該暗号化されたＩＦＰパケットが送信される。これに対し、上記ポート番号が平文通信用ポートのポート番号であり、かつ平文通信が指定されている場合、ネットワーク制御部２０５は、デジタル複合機１０２の平文通信用ポートと接続し、ＩＦＰパケットをＩＰｓｅｃにより暗号化することなく送信する。
【００４６】
デジタル複合機１０２のネットワーク制御部２０５は、対応する通信用ポートを介して、デジタル複合機１０１から送信されたＩＦＰパケットを受信する（ステップＳ４０７）。
【００４７】
ここで、暗号通信用ポートで暗号化されたＩＦＰパケットを受信する場合、ネットワーク制御部２０５は、上記暗号化されたＩＦＰパケットを元のＩＦＰパケットに戻した後に、画像データに変換される。これに対し、平文通信用ポートで平文のＩＦＰパケット（暗号化されていないＩＦＰパケット）を受信する場合、当該平文のＩＦＰパケットは、画像データに変換される。
【００４８】
画像データの伝送が終了すると、デジタル複合機１０１のネットワーク制御部２０５は、デジタル複合機１０２に対して、ＳＩＰによる呼の切断処理を行う（ステップＳ４０８）。これに応答して、デジタル複合機１０２のネットワーク制御部２０５は、呼の切断処理を行う（ステップＳ４０９）。
【００４９】
以上より、ユーザの意図に応じて暗号通信と平文通信とを確実に使い分けることができる。すなわち、暗号通信を所望する場合、暗号通信用アドレスを入力することによって暗号通信を確実に選択することができ、平文通信を所望する場合、平文通信用アドレスを入力することによって平文通信を確実に選択することができる。
【００５０】
次に、例えばファクシミリ装置１０１（送信側）において入力されたアドレスがファクシミリ装置１０２（受信側）の平文通信用アドレスであり、かつ暗号通信が指定された場合の処理について説明する。
【００５１】
このような場合としては、例えば次のような場合が考えられる。
【００５２】
（１）送信側のユーザが暗号通信を所望して指定したが、誤ってまたは故意に受信側の平文通信用アドレスを入力した場合
（２）受信側において暗号通信用アドレスが変更されており、暗号通信を所望する送信側のユーザが上記変更に気付かずに暗号通信用アドレスとして入力されたアドレスが実際には平文通信用アドレスである場合
上記（１）または（２）の場合、ファクシミリ装置１０１（送信側）は、呼接続に応答してファクシミリ装置１０２（受信側）から平文通信用ポートが通知され、この平文通信用ポートと接続して暗号通信を行う場合である。しかし、平文通信用ポートは、上述したように、暗号化されたＩＦＰパケットを無視するので、ファクシミリ装置１０１は、上記暗号通信を開始した後、ファクシミリ装置１０２との暗号通信を諦めて呼を切断する。
【００５３】
また、逆に、ファクシミリ装置１０１（送信側）において入力されたアドレスがファクシミリ装置１０２（受信側）の暗号通信用アドレスであり、かつ平文通信が指定された場合の処理について説明する。
【００５４】
このような場合としては、例えば次のような場合が考えられる。
【００５５】
（３）送信側のユーザが平文通信を所望して指定したが、誤ってまたは故意に受信側の暗号通信用アドレスを入力した場合
（４）受信側において平文通信用アドレスが変更されており、平文通信を所望する送信側のユーザが上記変更に気付かずに平文通信用アドレスとして入力されたアドレスが実際には暗号通信用アドレスである場合
上記（３）または（４）の場合、ファクシミリ装置１０１（送信側）は、呼接続に応答してファクシミリ装置１０２（受信側）から暗号通信用ポートが通知され、暗号通信用ポートと接続して平文通信を開始することになる。しかし、暗号通信用ポートは、上述したように、平文のＩＦＰパケットを無視するので、ファクシミリ装置１０１（送信側）は、ファクシミリ装置１０２（受信側）との平文通信を諦めて呼を切断する。
【００５６】
次に、送信側が暗号通信をサポートしておらず、暗号通信を所望する送信側のユーザが、暗号通信がサポートされていないことに気付かずに、受信側（ファクシミリ装置１０２）の暗号通信用アドレスを入力した場合の処理について説明する。
【００５７】
この場合は、送信側が受信側の暗号通信用ポートと接続して平文通信を行う場合である。具体的には、送信側は、呼接続に応答して受信側から暗号通信用ポートが通知され、受信側の暗号通信用ポートと接続して平文通信を開始することになる。しかし、暗号通信用ポートは、上述したように、平文のＩＦＰパケットを無視するので、送信側は、受信側との平文通信を諦めて呼を切断する。
【００５８】
このように、ユーザの意図に反する通信が行われることを未然に防止することが可能である。
【図面の簡単な説明】
【００５９】
【図１】本発明の一実施の形態に係るファクシミリ通信システムを模式的に示す図である。
【図２】図１のデジタル複合機１０１，１０２の構成を示すブロック図である。
【図３】図１のデジタル複合機１０２（受信側）に表示されるアドレス設定画面の一例を示す図である。
【図４】図１のデジタル複合機１０１とデジタル複合機１０２の間でファクシミリ通信を行う場合の動作を示すフローチャートである。
【符号の説明】
【００６０】
１０１，１０２  ファクシミリ装置
１０３  ＩＰネットワーク
２０３  操作／表示部
２０４  符号化／復号部
２０５  ネットワーク制御部
２０６  システムメモリ
２０８  システム制御部
【図１】
0004739248.tif 000002
【図２】
0004739248.tif 000003
【図３】
0004739248.tif 000004
【図４】
0004739248.tif 000005